(57)【要約】【課題】電線、ケーブルや金属パイプなどの線状体の端末処理カバーであって、作業性と信頼性の良い端末処理カバーとその装着方法を提供する。【解決手段】本発明による端末処理カバーは、カバー本体１、カバー収縮部２、またはカバー本体１、カバー収縮部２、カバー引張りシロ３を有する一体型成形品であり、予めカバー収縮部２を折り返しておくことによって装着性が容易となり、また、カバー収縮部２の構造と材質から、挿入された線状体への装着は、作業者によらず、優れた防水性と電気絶縁性が得られる。【選択図】　　　　図１
2004048882.tif 000002
【特許請求の範囲】
【請求項１】
線状体の端末に装着される端末処理カバーであって、挿入される線状体端部の外径よりも大きな内径を有する有底円筒状のカバー本体と、このカバー本体の開口端に連なり、挿入される線状体よりも小さな内径を有する円筒状のカバー収縮部とからなる端末処理カバー。
【請求項２】
請求項１記載の端末処理カバーにおいて、前記カバー収縮部の先端に２枚以上の舌片状のカバー引張シロを設けたことを特徴とする端末処理カバー。
【請求項３】
請求項１または請求項２記載の端末処理カバーを用い、予めカバー収縮部をカバー本体上に折り返し被せておき、線状体端部をカバー本体内に挿入後、カバー収縮部またはカバー引張シロを引張ることによりカバー収縮部を線状体に装着する端末処理カバーの装着方法。
【発明の詳細な説明】
【０００１】
【発明の属する技術分野】
本発明は、電線、ケーブル、金属パイプなどの線状体の端末部に防水、電気絶縁及び機械的保護処理を施すために用いられる端末処理カバーに関する。
【０００２】
【従来の技術】
図６は従来の端末処理カバーの例を示すもので、図中符号５はカバー本体を示す。このカバー本体５は、中空の切頭円錐台状のものであり、このカバー本体５の開口端には円筒状の入口部６が連接されている。また、この入口部６の開口端には内方に伸びる２本のスリット７が形成されており、このスリット７によって入口部６が半径方向の内側に変形できるようになっている。また、この端末処理カバーは、ポリエチレンなどのプラスチックの一体成型によって形成されたものである。
【０００３】
このような構造の端末処理カバーを、例えば、電線端末に装着するには、図７に示すように電線４の先端部をカバー本体５の内壁面に突き当たるまで挿入した後、入口部６の開口部と電線４との隙間から雨水等の浸入を防ぐために、入口部６から電線４にかけて防水粘着テープ８を巻き付けて固定する。これにより、入口部６が電線４の外周に密着する。この端末処理カバーでは、外径の多少異なる電線等の線状体に対しても、入口部６が変形して対応することができる利点を有している。
【０００４】
しかしながら、このような従来の端末処理カバーにあっては、電線４等の端末に端末処理カバーを装着する際、防水粘着テープ８の巻き付け作業に時間が掛かる上に、作業者によりバラツキがあり、均一かつ信頼性のある装着作業を施す事が困難であった。
【０００５】
【発明が解決しようとする課題】
本発明は、前記事情に鑑みてなされたもので、容易かつ迅速に装着できて、信頼性のある端末性能を有する端末処理カバーとその装着方法を提供することを課題とする。
【０００６】
【課題を解決するための手段】
かかる課題を解決するために、
請求項１にかかる発明は、線状体の端末に装着される端末処理カバーであって、挿入される線状体端部の外径よりも大きな内径を有する有底円筒状のカバー本体と、このカバー本体の開口端に連なり、挿入される線状体よりも小さな内径を有する円筒状のカバー収縮部からなる端末処理カバーである。
【０００７】
請求項２にかかる発明は、請求項１記載の端末処理カバーにおいて、前記カバー収縮部の先端に２枚以上の舌片状のカバー引張シロを設けたことを特徴とする端末処理カバーである。
【０００８】
請求項３にかかる発明は、請求項１または請求項２記載の端末処理カバーを用い、予めカバー収縮部をカバー本体上に折り返し被せておき、線状体端部をカバー本体内に挿入後、カバー収縮部またはカバー引張シロを引張ることによりカバー収縮部を線状体に装着する端末処理カバーの装着方法である。
【０００９】
【発明の実施の形態】
以下、本発明を詳しく説明する。
図１は、本発明の端末処理カバーの一例を示すもので、端末処理カバーは、カバー本体１と、カバー収縮部２と、カバー引張りシロ３から構成されている。
【００１０】
上記カバー本体１は挿入される線状体の外径よりも大きな内径を有する有底円筒状で、その開口端部はカバー収縮部２に向かってテーパー状に縮径している。また、カバー本体１の肉厚は底部及び円筒部では同じ厚さとなっており、テーパー状部の肉厚は徐々に厚さが減少し、カバー収縮部２との連結部分においては、カバー収縮部２と同じ厚さとなっている。カバー収縮部２は、このカバー本体１の開口端に連なる円筒状のもので、その長さは約１０ｍｍ〜３５ｍｍとされ、挿入される線状体の外径よりも０．５〜０．８倍の小さな内径を有していて、肉厚はカバー本体１よりも薄くなっている。
【００１１】
カバー引張りシロ３はカバー収縮部２に連なり、引張り易いように、その端部の相向かい合う２箇所に擬Ｕ字状の切り込みを入れて形成された舌片状を呈している。擬Ｕ字状の切り込みの幅はカバー引張りシロ３の円筒部の円周を４等分する幅で、長さはカバー引張りシロ３の円筒部の外径の約１．５倍の長さとなっている。また、カバー引張りシロ３はカバー収縮部２と同じ内径と肉厚を有している。なお、このカバー引張りシロは、この例のように２枚に限られることはなく、３枚以上とし、これを円周上に均等に配した構造を採用することもできる。
【００１２】
カバー本体１の肉厚は装着する電線４の外径と取り扱い性などを考慮して３〜６ｍｍの肉厚のものが使われる。カバー収縮部２の肉厚は、カバー収縮部２の内径とカバー本体１の外径差から生じるカバー収縮部２の弾性復元力によってカバー本体１が変形しないようにする為に、カバー本体１の肉厚以下としている。
【００１３】
また、カバー本体１と、カバー収縮部２と、カバー引張りシロ３をなす材料は、いずれも電気絶縁性と弾力性を付与するために、加硫された天然ゴムや合成ゴムなど、高絶縁性と高弾性を有する材料からなっている。
【００１４】
次に、このような端末処理カバーの装着方法の一例を説明する。
端末処理カバーは使用前には予め図２に示すように、カバー引張シロ３をカバー本体１の底部側に引張って、カバー収縮部２をカバー本体１の外側に折り返しておく。
【００１５】
ついで、電線４の端末を図３に示すようにカバー本体１の底部に突き当たるまでカバー本体１内に挿入した後、カバー引張りシロ３を引張って、カバー収縮部２を電線４の端末に折り返して被せる。
【００１６】
これにより、図４に示すように挿入された電線４の外径よりも小さな内径を有するカバー収縮部２が弾性的復元力によって収縮して電線４を締め付け、密着性良く固定される。従って、従来のようなカバー端部のテープ巻き作業は不要となり、端末処理が迅速になるとともに、作業者による端末処理の出来映えのバラツキも小さくなる。
【００１７】
なお、端末処理カバーは、図５に示すように、カバー収縮部２の先端部分をラッパ状に拡大して掴み易くすることによって、舌片状の引張りシロ３を形成しなくても、カバー収縮部２をカバー本体１の外側に折り返えすことができ、舌片状の引張りシロ３を有する場合と同様に、電線４に装着でき、端末処理カバーとして用いることができる。また、カバー収縮部２の先端部分を同じ外径としておき、この部分を強めに折り返すようにしてもよい。
【００１８】
作業者Ａ〜Ｊの１０名が本発明による端末処理カバーとその装着方法で端末処理する方法と、従来の端末カバーを装着して防水粘着テープ巻き付けする両方法で端末処理を行い、その作業時間を比較した。その結果を表１に示す。
【００１９】
【表１】
2004048882.tif 000003
【００２０】
この結果より、本発明による端末処理用カバーを用いて端末処理すると、どの作業者が行っても、従来方法の約２０分の１の時間で処理でき、水の浸入も無く、リークも無く、電線端末カバーとしての要求特性を満足していた。一方、従来方法で端末処理すると作業時間が本発明法の約２０倍掛かった。
【００２１】
また、本発明の端末処理カバーは電線、ケーブルの端末処理以外に金属パイプ、金属棒などの種々の線状体の端末部の封止にも使用できる。
【００２２】
【発明の効果】
以上説明したように、本発明の端末処理カバーは、その構造上、線状体端部への装着が容易で、防水性、電気的絶縁性ともに優れており、しかも作業者による端末処理の出来映えのバラツキが小さく、信頼性のある作業を迅速に行うことができる。
【図面の簡単な説明】
【図１】本発明の端末処理カバーの一例を示す概略構成図である。
【図２】本発明による端末処理カバーの折り返し状態を示す図である。
【図３】本発明の端末処理カバーへの電線の挿入法を示す図である。
【図４】本発明による端末処理カバーの電線への装着法を示す図である。
【図５】本発明の端末処理カバーの他の例を示す概略構成図である。
【図６】従来の端末処理カバーの一例を示す概略構成図である。
【図７】従来の端末処理方法を示す概略構成図である。
【符号の説明】
１・・・カバー本体、２・・・カバー収縮部、３・・・カバー引張りシロ、４・・・電線
【図１】
2004048882.tif 000004
【図２】
2004048882.tif 000005
【図３】
2004048882.tif 000006
【図４】
2004048882.tif 000007
【図５】
2004048882.tif 000008
【図６】
2004048882.tif 000009
【図７】
2004048882.tif 000010